(57)【特許請求の範囲】
【請求項１】
紙袋用の袋用紙を二つ折に折り畳んで貼り合わせ、かつ、その両側部を内側に折り込んでＭ字状の折込部を有する紙筒を形成し、この紙筒の袋底寄りに位置して紙筒の表裏に折込フラップの底折込線と底折返線とを平行に形成し、前記表側折込フラップを前記底折返線から裏返しに折返し、かつ、表側折込フラップと裏側折込フラップとを重ね合わせるようにして底折込線からこれら表裏両折込フラップを各々内側に折畳んで紙袋の角底部分を形成する角底袋の製袋機において、
紙袋の底となる角底部分を形成する袋底形成装置には、その回転により前記紙筒を回転移送する底折ドラムと、該底折ドラムの外周に近接して配されて該紙筒の袋底側を開く底開き装置とが設けられ、
この底開き装置は、下部回転軸（６３６）と、この下部回転軸と上下に対をなす上部回転軸（６３１）と、この上部回転軸に固定された回転円弧板（６３２）と、この回転円弧板に形成された開口部（６３４）に臨ませて前記回転円弧板に取付固定されており、前記紙筒（Ｔ）の表面紙前端側の前記表側折込フラップを吸着する吸着パット（６３５）と、前記回転円弧板の両外側に位置して前記上部回転軸（６３１）に固定された底開きフランジ（６３３）と、この底開きフランジにそれぞれ配され、前記紙筒（Ｔ）の前記折込部（Ｔ３）を挟持する開閉爪（６３７）とを備え、前記開閉爪（６３７）及びこの開閉爪に対応して前記底折りドラムに配された開閉爪（６４３）とにより前記紙筒（Ｔ）の前記折込部（Ｔ３）を捕捉し、かつ、前記底折ドラム（６４０）に設けられた捕捉爪（６４１）により前記紙筒（Ｔ）の裏面紙側先端である前記裏側折込フラップを捕捉した状態で、前記上部回転軸（６３１）と前記底折ドラム（６４０）とを相互に逆方向に回転させることで前記紙筒（Ｔ）の袋底を開くように構成され、
この底開き装置が、袋底となる紙筒を開く際に、前記底開きフランジから突出されて表側折込フラップの底折返線からの折返位置に当接して底部内折線を設定するための、出没可能なキックプレートを前記底開きフランジに具備することを特徴とする製袋機。
【請求項２】
前記キックプレートは、底折ドラムの幅方向に一対配され、底開き装置の回転に連動して出没することを特徴とする請求項１記載の製袋機。
【請求項３】
前記キックプレートの出没は、底開き装置の前記底開きフランジ（６３３）に支持されてキックプレートを往復回転動作する回転軸（６３８Ｃ）と、前記キックプレートを前記回転軸（６３８Ｃ）のまわりに往復回転動作させるカム機構とからなる駆動機構によりおこなわれることを特徴とする請求項２記載の製袋機。
【発明の詳細な説明】
【０００１】
【発明の属する技術分野】
本発明は、例えば、ショッピングバックなどの紙袋を連続的に成形する製袋機に関するものである。
【０００２】
【従来の技術】
ショッピングバック等の紙袋としては、例えば角底紙袋が使用されており、この種の角底紙袋の製袋機においては、予め所定寸法に裁断された１枚の袋用紙Ｐを順次間歇的に搬送し、その搬送途中に、図１２（ａ）ないし（ｂ）に示すように、両側部をＭ字状として折り込んで２つ折りに折畳み、かつその外端縁を糊付けして前後を開口する紙筒Ｔを形成する。その後、図１２（ｃ）ないし（ｅ）に示すように、紙筒Ｔに底折返線Ｌ４と底折込線Ｌ５とを平行に刻設し、紙筒Ｔの底部を底折加工する底折ドラムに紙筒Ｔの裏側折込フラップＴ１を挟持しながら、前記底折ドラムの回転に伴って紙筒Ｔを回転移送し、かつ、表側折込フラップＴ２のみを底折返線Ｌ４から裏返しに折返して表裏両フラップＴ１，Ｔ２を底折ドラムの外周に沿って平面的に展開し、該表裏のフラップＴ１，Ｔ２に糊付けして、表裏両折込フラップＴ１，Ｔ２を折り返した後に内側に折り畳んで紙袋Ｂの底となる角底部分Ｂ１を形成して紙袋を製造する。
【０００３】
このような製袋機は、紙袋Ｔの角底部分を成形する際、図１３に示すように、底折ドラムＫ１と底開きドラムＫ２との回転によって紙筒Ｔの袋底を開き、その後、表側折込フラップＴ２のみを底折返線Ｌ４から裏返しに折返して、表裏の折込フラップＴ１，Ｔ２を底折返線Ｌ４から底折ドラムの外周に沿って平面的に展開させていた。
【０００４】
【発明が解決しようとする課題】
しかし、通常サイズの紙袋を作成する製袋機において、製造する紙袋Ｂの襠寸法が小さい場合、例えば襠寸法が７０ｍｍ以下の場合には、底折返線Ｌ４と底折返し線Ｌ５との間隔が３５ｍｍ程度以下となるため、底折ドラムＫ１と底開きドラムＫ２との回転半径に対して紙筒Ｔのサイズが小さくなり、紙筒Ｔの袋底を充分に開くことができなくなる。このため、図１２（ｃ）に示すような、表側折込フラップＴ２の底折返線Ｌ４からの折返しに際して、図１４に示すような、紙袋Ｂの底部内折線Ｂ２の形成が正確に設定できないという問題があり、特に通常サイズの紙袋を作成する製袋機において、作成する紙袋Ｂの襠寸法が５０ｍｍ以下の場合には、底部内折線Ｂ２の形成がほぼできなくなるという問題があった。
この問題を解決しようとして、底開きドラムＫ２の軸に円弧状のブラケットを取り付け、そのブラケットに板バネを取り付けて、紙筒Ｔの底折返線Ｌ４付近を底折ドラムＫ１側に押し付ける機構が考案されたが、上記課題を解決するに至っていないのが現状である。
さらに、上記機構においては、板バネによって紙筒Ｔの底折返線Ｌ４付近に、板バネによる傷が付き、特に紙質の弱いものや表面加工を施した袋用紙においては、美観を損ねる度合いが激しくなるという問題があった。
【０００５】
本発明は、上記の事情に鑑みてなされたもので、以下の目的を達成しようとするものである。
▲１▼サイズの小さい紙袋製造に対応した角底袋の製袋機を提供すること。
▲２▼表側フラップの折り返しによる傷の発生を防止すること。
▲３▼袋底部の底部内折線の形成位置の設定における正確性を向上すること。
【０００６】
【課題を解決するための手段】
本発明は、紙袋用の袋用紙を二つ折に折り畳んで貼り合わせ、かつ、その両側部を内側に折り込んでＭ字状の折込部を有する紙筒を形成し、この紙筒の袋底寄りに位置して紙筒の表裏に折込フラップの底折込線と底折返線とを平行に形成し、前記表側折込フラップを前記底折返線から裏返しに折返し、かつ、表側折込フラップと裏側折込フラップとを重ね合わせるようにして底折込線からこれら表裏両折込フラップを各々内側に折畳んで紙袋の角底部分を形成する角底袋の製袋機において、紙袋の底となる角底部分を形成する袋底形成装置には、その回転により前記紙筒を回転移送する底折ドラムと、該底折ドラムの外周に近接して配されて該紙筒の袋底側を開く底開き装置とが設けられ、この底開き装置は、下部回転軸（６３６）と、この下部回転軸と上下に対をなす上部回転軸（６３１）と、この上部回転軸に固定された回転円弧板（６３２）と、この回転円弧板に形成された開口部（６３４）に臨ませて前記回転円弧板に取付固定されており、前記紙筒（Ｔ）の表面紙前端側の前記表側折込フラップを吸着する吸着パット（６３５）と、前記回転円弧板の両外側に位置して前記上部回転軸（６３１）に固定された底開きフランジ（６３３）と、この底開きフランジにそれぞれ配され、前記紙筒（Ｔ）の前記折込部（Ｔ３）を挟持する開閉爪（６３７）とを備え、前記開閉爪（６３７）及びこの開閉爪に対応して前記底折りドラムに配された開閉爪（６４３）とにより前記紙筒（Ｔ）の前記折込部（Ｔ３）を捕捉し、かつ、前記底折ドラム（６４０）に設けられた捕捉爪（６４１）により前記紙筒（Ｔ）の裏面紙側先端である前記裏側折込フラップを捕捉した状態で、前記上部回転軸（６３１）と前記底折ドラム（６４０）とを相互に逆方向に回転させることで前記紙筒（Ｔ）の袋底を開くように構成され、この底開き装置が、袋底となる紙筒を開く際に、前記底開きフランジから突出されて表側折込フラップの底折返線からの折返位置に当接して底部内折線を設定するための、出没可能なキックプレートを前記底開きフランジに具備することにより上記課題を解決した。
本発明には、該キックプレートは、底折ドラムの幅方向に一対配され、底開き装置の回転に連動して出没する手段が適用される。
また、前記キックプレートの出没は、底開き装置の前記底開きフランジ（６３３）に支持されてキックプレートを往復回転動作する回転軸（６３８Ｃ）と、前記キックプレートを前記回転軸（６３８Ｃ）のまわりに往復回転動作させるカム機構とからなる駆動機構によりおこなわれることが可能である。
さらにキックプレートが、取付ブラケットに一体として取り付けられて、該取付ブラケットは、前記回転軸に一体として取り付け固定され、該回転軸には、キックプレートの往復回転動作を規制するカム当接部と、キックプレートを底開き装置の回転方向に付勢する付勢部材とが設けられ、該カム当接部に当接する駆動カムが、前記底開き装置の内側に位置することもできる。
【０００７】
【発明の実施の形態】
以下、本発明に係る角底袋製袋機および製袋方法の一実施形態を、図面に基づいて説明する。
図１ないし図８において、符号Ｍは製袋機、Ｐは袋用紙、Ｔは紙筒、Ｂは紙袋、Ｈは把手、１は給紙装置、２は把手装置、３は筋付装置、４，５は紙筒形成装置、６は袋底形成装置、７はプレス装置である。
【０００８】
製袋機Ｍは、図１に示すように、袋用紙Ｐを供給する給紙装置１と、把手Ｈを形成し該把手Ｈを袋用紙Ｐに貼り付ける把手装置２と、該給紙装置１から供給された袋用紙Ｐの外縁部とほぼ中央部に、折込部Ｐ１を形成するための折込線Ｌ１と折返線Ｌ２と折畳線Ｌ３とを刻設する筋付装置３と、該筋付装置３から底形成装置６まで袋用紙Ｐを搬送し、かつ、該筋付装置３により刻設された折込線Ｌ１と折返線Ｌ２と折畳線Ｌ３とに沿って袋用紙Ｐを二つ折りに折り畳みかつ貼り付けを行い紙筒Ｔを形成する紙筒形成装置４，５と、紙袋Ｂの角底部分Ｂ１を形成する袋底形成装置６と、角底部分の形成された紙袋Ｂをプレスして製品台に送り出すとともに紙袋Ｂの製造数をカウントするプレス装置７とを具備する。
【０００９】
給紙装置１は、製袋機Ｍの最上流に位置して、予め所定寸法に裁断された紙袋用の袋用紙（枚葉紙）Ｐを間隔をあけて連続的に供給するものとされる。
【００１０】
把手装置２は、図９（ａ），（ｂ）に示すように、例えば貼り付け用紙Ｈ１と紐状の把手部分Ｈ２を一体として把手Ｈを形成し、該把手Ｈを袋用紙Ｐの例えば２箇所の所定位置に貼り付けるものとされ、この際、袋用紙Ｐの搬送方向後ろ側の口折部Ｐ４に略Ｊ字状および略逆Ｊ字状の切れ込みを入れるとともに、口折部Ｐ４の二つ折り部分Ｐ２となる端部からカット部Ｋを切断し、把手Ｈを貼り付けた後、口折部Ｐ４を折り返して把手Ｈの貼り付け用紙Ｈ１を挟み込み、張り合わせて紙袋Ｂの袋口となる部分を形成する。
【００１１】
筋付装置３は、図１に示すように、把手装置２の下流に位置し、袋用紙Ｐを挟み込んで折込部Ｐ１を形成するための折込線Ｌ１，折返線Ｌ２，折畳線Ｌ３等の筋Ｌを略平行に刻設するための凸条を持つ筋付凸ローラと該筋付凸ローラに対応した筋付溝の形成された筋付凹ローラと、これら複数の筋付ローラを所定位置に設定する図示しない位置設定手段とを有する。
【００１２】
前記紙筒形成装置４，５は、図１に示すように、筋付装置３の下流に位置し、直列に接続されたローラコンベアにより折込線Ｌ１と折返線Ｌ２とから挟み込んで折り畳む第１折込工程部と、折畳線Ｌ３に沿って袋用紙Ｐを二つ折りに折り畳む折畳工程部（第２折畳工程部）とにより、図９（ｃ）ないし図９（ｅ）に示すように、紙筒Ｔを成形する。
【００１３】
袋底形成装置６は、図１ないし図２に示すように、例えば成形された紙筒Ｔを間隔をあけて連続的に供給する供給装置６０Ａと、該供給装置６０Ａの終端側に配される口折筋付装置６１０と、紙袋Ｂの角底部分となる袋底寄りに底折返線Ｌ４と底折込線Ｌ５との折目を付ける底折筋付け装置６２０と、回転により前記紙筒Ｔを回転移送する底折ドラム６４０と、該底折ドラム６４０の外周に近接して配され該紙筒Ｔの袋底側を吸着して袋底を開く底開き装置６３０と、底折ドラム６４０の外周に近接して配されて前記底折筋付け装置６２０によって形成された底折返線Ｌ４から前記表側折込フラップＴ２を紙筒Ｔの裏返しに折り返して表裏両折込フラップＴ１，Ｔ２を底折ドラム６４０に沿わせて平面的に展開させるフラップ折返装置６５０と、前記表裏両折込フラップＴ１，Ｔ２に糊付けする糊付装置６６０と、前記表裏両折込フラップＴ１，Ｔ２を起立させるフラップ立ち上げ装置６７０と、その各折込フラップＴ１，Ｔ２を貼着する袋底折込装置６８０とを具備するものとされる。
【００１４】
前記供給装置６０Ａは、図２に示すように、例えば駆動スプロケットと従動スブロケットとの間に架け渡して設けられた左右一対の無端状コンベアチェーンから成り、そのコンベアチェ−ンに取付けた送り爪によって袋底側を搬送方向に向けて紙筒Ｔを次工程の筋付け底折り及び貼着工程に搬送する。
【００１５】
前記口折筋付け装置６１０は、図２に示すように、例えば一枚の平板状の筋付けブレ−ド６１１を有する上部回転軸６１２と、その筋付けブレ−ド６１１の受けローラ６１３を備えた下部回転軸６１４とを有し、前記筋付けブレ−ド６１１は、上部回転軸６１２に固定する一対の取付板に螺着されるとともに、下部回転軸６１４の一側が駆動源に接続されて、該下部回転軸を回転駆動するとともに、その回転を上部回転軸６１２へと伝達させて、上部回転軸６１２を下部回転軸６１４と逆方向に回転させて紙筒供給装置６０Ａから送られる紙筒Ｔの袋底寄りに前記筋付けブレ−ド６１１を押接させて口折りの際の折目を刻設する。
【００１６】
底折筋付け装置６２０は、前記口折筋付け装置６１０とほぼ同様な構成とされ、この底折筋付け装置６２０においては、図２に示すように、例えば２枚の平板状の筋付けブレ−ド６２１Ａ，６２１Ｂを有する上部回転軸６２２と、その筋付けブレ−ド６２１Ａ，６２１Ｂの受けロ−ラ６２３を備えた下部回転軸６２４とを具備し、紙筒Ｔの搬送方向の前方側となる袋底寄りに前記各筋付けブレ−ド６２１Ａ，６２１Ｂを押接して、底折りの際の底折返線Ｌ４と底折込線Ｌ５の２本の平行な筋目を刻設する。
【００１７】
底開き装置６３０は、図２ないし図８に示すように、例えば上部回転軸６３１に固定された回転円弧板６３２と、この回転円弧板６３２の両外側に位置して上部回転軸６３１に固定された底開きフランジ６３３と、前記回転円弧板６３２の外周面に切欠形成する開口部６３４に臨ませて回転円弧板６３２に取付固定された吸着パット６３５と、前記回転円弧板６３２の上部回転軸６３１と上下に対を成す下部回転軸６３６と、後述するように底折ドラム６４０に配される開閉爪６４３に対応して前記底開きフランジ６３３にそれぞれ配される開閉爪６３７と、紙筒Ｔを袋底となる袋口から開く際に表側折込フラップＴ２の底折返線Ｌ４からの折返位置に当接して底部内折線Ｂ２を設定するためのキックプレート６３８とを具備する。
【００１８】
該キックプレート６３８は、図３ないし図６，図８に示すように、底折ドラム６４０の幅方向に一対配され、該キックプレート６３８を底開き装置６３０の回転に連動して出没させる駆動機構６３８Ａが設けられる。
このキックプレート６３８は、それぞれ一体とされた取付ブラケット６３８Ｂに取り付けられて、該取付ブラケット６３８は回転軸６３８Ｃに取り付けられ、回転軸６３８Ｃは、前記回転軸６３１に一体的に取付固定される底開きフランジ６３３により回転可能に支持されて該底開き装置６３０と一体に回転する。
該回転軸６３８Ｃにはクランプ６３８Ｋが一体とされ、該クランプ６３８Ｋの先端には、キックプレート６３８を回転軸６３８Ｃのまわりに往復回転動作するためのカム当接部６３８Ｄが設けられる。
回転軸６３８Ｃには、キックプレート６３８を回転軸６３８Ｃまわりの方向に付勢する付勢部材６３８Ｅが設けられ、この回転軸６３８Ｃまわりの付勢に対応してカム当接部６３８Ｄに接する駆動カム６３８Ｆが、前記底開き装置６３０の軸方向外側に位置して本体フレームＭ１に固定される。
駆動カム６３８Ｆは、図３，図５に示すように、本体フレームＭ１に対して取付ピン６３８Ｇを介して取り付けられたブラケット６３８Ｈおよび固定フランジ６３８Ｊに固定され、該ブラケット６３８Ｈは、回転軸６３１の軸方向および軸まわりの回転方向の取付位置が設定可能とされる。
【００１９】
また、前記回転軸６３１には、図３に示すように、前記開閉爪６３７を内蔵する底開きフランジ６３３が一体的に取付固定され、この底開きフランジ６３３に回転可能に軸支された軸６３７Ｂに開閉爪６３７が一体的に固定されている。前記固定フランジ６３８Ｊには、軸６３７Ｂを駆動するための左右開閉カム６３７Ｄと、上下開閉カム６３７Ｅとが固定される。
そして、この軸６３７Ｂの一端部には、該軸６３７Ｂを軸方向に付勢するためのバネ６３７Ｈが設けられ、また、軸６３７Ｂの他端部には、該軸６３７Ｂを軸方向に移動するためのカム当接部６３７Ｃが配され、このカム当接部６３７Ｃが、バネ６３７Ｈにより付勢されて前記左右開閉カム６３７Ｄに押し付けられて、該カム当接部６３７Ｃが左右開閉カム６３７Ｄに形成する突状部に沿って移動することにより、開閉爪６３７が軸６３７Ｂ方向への往復動作する。
前記軸６３７Ｂには、クランプ６３７Ｆが一体的に固定されており、クランプ６３７Ｆの先端には上下開閉カム６３７Ｅに当接するカム当接部６３７Ｇが設けられる。前記軸６３７Ｂには、このクランプ６３７Ｆと対向状態として前記底開きフランジ６３３にＬ字状の固定金具が止着され、この固定金具とクランプ６３７Ｆとの間に、前記カム当接部６３７Ｇを上下開閉カム６３７Ｅに押し付けるように付勢するバネを外装したロッドが設けられる。
そして、左右および上下開閉カム６３７Ｄ，６３７Ｅに形成する突状部に各カム当接部６３７Ｃ，６３７Ｇが乗上げる際に、開閉爪６３７が軸６３７Ｂまわりの往復回転動作する。
【００２０】
また、底開き装置６３０の吸着パット６３５には、バキュ−ムポンプ等の負圧発生装置が連通接続され、紙筒Ｔの表側折込フラップＴ２を吸着し、回転円弧板６３２および吸着パット６３５の回転軌跡に沿って紙筒Ｔの表側折込フラップＴ２を吸着する。
そして、これとほぼ同時に底開き装置６３０と近接して配置する前記底折ドラム６４０に設けた捕捉爪６４１により、袋底の開いた紙筒Ｔの裏側折込フラップＴ１の先端を捕捉し、かつ、図６に示すように、それぞれの開閉爪６３７，６４３により紙筒Ｔの底折込線Ｌ５の後側位置を両脇の折込部Ｔ３から捕捉し、上部回転軸６３１と底折ドラム６４０とを相互に逆方向に回転させて紙筒Ｔの袋底を開く。
【００２１】
前記フラップ折返装置６５０は、図２，図６，図７に示すように、例えば前記底折ドラム６４０の上側に配される左右一対の案内板６５１と、この案内板６５１の間に配される左右一対の線状部材６５２とを有し、案内板６５１と線状部材６５２とは、取付棒６５３に取付アーム６５４を介して固定される。
そして、各案内板６５１と線状部材６５２とは、底折ドラム６４０によって回転搬送される紙筒Ｔを、各案内板６５１と底折ドラム６４０との間に誘い込み、前記底開き装置６３０によって吸引された表側折込フラップＴ２を各案内板６５１および線状部材６５２に押し付けることにより、該表側折込フラップＴ２を前記底折返線Ｌ４から裏返しとして折返す、すなわち、表裏の折込フラップＴ１，Ｔ２を底折ドラム６４０の外周に沿わせて平面的に展開し、案内板６５１と底折ドラム６４０との僅かな隙間を通して紙筒Ｔの浮き上りを抑えて安定的に搬送する。
前記フラップ折返装置６５０の前方位置には、図２，図７に示すように、プレスローラ６５９が底折ドラム６４０の外周面に接して配される。
【００２２】
糊付装置６６０は、図２に示すように、底折ドラム６４０の外周にかつプレスローラ６５９の前方に配され、図２に示すように、例えば澱粉糊または化学糊系接着剤等を収容するタンクと、外周面に合成ゴムなどからなる糊付けパッドを有する糊付けローラとを具備するものとされ、タンク内の接着剤を中継ロ−ラを介して糊付け口−ラの糊付パッドに付着させ、糊付けローラの回転により表裏両折込フラップＴ１に糊付けする。
【００２３】
前記底折りドラム６４０は、図２，図６，図７に示すように、例えば回転軸６４０Ａに固着された取付用筒に適宣間隔を置いて固定された複数の分割ドラム６４０Ｂの集合体によって構成されており、例えばこの集合体が３組配されるものとされる。
これら各分割ドラム６４０Ｂには、底折ドラム６４０の外周に配されて紙筒Ｔの裏側折込フラップＴ１先端を挟持する捕捉爪６４１と、裏側折込フラップＴ１の底折込線Ｌ４の前後位置を噛み込む前挟持爪６４２，６４２Ａと、底開き装置６３０の開閉爪６３７に対応して紙筒Ｔを折込部Ｔ３から挟持する開閉爪６４３と、表側折込フラップＴ２の底折返線Ｌ４付近に位置される後押さえ爪６４４と後起こし爪６４５と、裏側折込フラップＴ１を吸着するための複数の吸着口とが設けられる。
前記捕捉爪６４１は、図６に示すように、底折ドラム６４０の軸線方向の中央部分に位置してその先端部分が溝部から分割ドラム６４０Ｂの外周外側に延設され、この捕捉爪６４１の先端部分と分割ドラム６４０Ｂとにより前記裏側折込フラップＴ１を挟持する。
一方、前挟持爪６４２，６４２Ａは、図６に示すように、分割ドラム６４０Ｂの端部に固定された固定爪６４２Ａとこの固定爪６４２Ａと対向して底折ドラム６４０内部に設けられた可動爪６４２とから成り、その可動爪６４２の開閉によって、裏側折込フラップＴ１の底折込線Ｌ５の前後を挟持するものとされる。
また、前記回転軸６４０Ａの取付用筒には、前記補捉爪６４１および前挟持爪６４２の取付ブラケットが一体的に取付固定され、この各取付ブラケットに回転可能に軸支された軸に前記捕捉爪６４１および前挟持爪６４２が一体的に固定される。そして、捕捉爪６４１および前挟持爪６４２の軸の一端部には、例えば取付ア−ムを介して回転ローラが設けられるカム当接部が配され、このカム当接部が、前記底折ドラム６４０の側部に位置して本体フレ−ムＭ１に固定されたカム面に沿って移動することにより、捕捉爪６４１および前挟持爪６４２が開閉動作する。また、捕捉爪６４１および前挟持爪６４２の軸の他端部には、前記カム当接部をカム面に押し付けるように付勢するバネが設けられている。そして、カム面に形成する突状部に捕捉爪６４１および前挟持爪６４２の各カム当接部が乗上げる際に、捕捉爪６４１および前挟持爪６４２が開閉動作する。
【００２４】
また、前記底折ドラム６４０の両側には、図７に示すように、例えば前記表側折込フラップＴ２の底折込線Ｌ５の前側位置を表側折込フラップＴ２の上側から押さえ込む後押さえ爪６４４と、表側折込フラップＴ２の底折込線Ｌ５の後側位置で表側折込フラップＴ２と紙筒Ｔの表面紙との間に位置する後起こし爪６４５が組み付けられている。
後押さえ爪６４４と後起こし爪６４５とは、分割ドラム６４０Ｂの幅方向に一対ずつ配され、該後押さえ爪６４４と後起こし爪６４５とにそれぞれ一体とされた取付ブラケットに取付られてる。該取付ブラケットには、前記取付用筒に固定して底折ドラム６４０と一体として回転する支持用ブラケットにそれぞれスライド自在に案内されかつ取付ブラケットを回転可能に支持する可動軸と、後押さえ爪６４４を底折ドラム６４０側へと回転させるための押し下げレバー、または、後起こし爪６４５を底折ドラム６４０側へと回転させるための押上げレバ−とが設けられる。
各可動軸には、その外側先端にカム当接部が設けられ、押し上げレバーまたは押し下げレバーの先端には突出したカム当接部が設けられ、これらカム当接部が、前記底折ドラム６４０の側部に位置して本体フレ−ムＭ１に固定された各カム面に沿って移動することにより、後押さえ爪６４４と後起こし爪６４５とが底折ドラム６４０の回転軸線方向の往復動作を行う。
【００２５】
フラップ立ち上げ装置６７０は、図２に示すように、底折ドラム６４０の前方側に２枚の平板状の押込ブレ−ドを備えた回転軸が横設され、該回転軸が、底折ドラム６４０の駆動と同期状態に駆動されて、この回転軸の回転により、前記底折ドラム６４０で搬送される紙筒Ｔの表裏両折込フラップＴ１，Ｔ２の底折込線Ｌ５に沿って前記押込ブレードを押接させて、その底折込線Ｌ５付近を開状態に保持した前挟持爪６４２，６４２Ａの間および後押さえ爪６４４と後起こし爪６４５との間に誘い込む。そして、裏側折込フラップＴ１を掴んでいた捕捉爪６４１を開いた後、前挟持爪６４２を閉じて裏側折込フラップＴ１の底折込線Ｌ５の前後を噛み込むことによって裏側折込フラップＴ１を起こし、かつ、後押さえ爪６４４で押さえた状態の表側折込フラップＴ２を後起こし爪６４５が上方に移動することにより起こして、前記表裏両折込フラップＴ１，Ｔ２を立ち上げて袋底折込装置６８０により折り込み可能な状態とする。
【００２６】
袋底折込装置６８０は、図２に示すように、フラップ立ち上げ装置６７０等で起こした表裏両折込フラップＴ１，Ｔ２を内側に折り込むものとされ、底折ドラム６４０前方に該底折ドラム６４０の回転と同期して回転自在に横設した底折棒と、前記底折ドラム６４０の周面と僅かな隙間を隔てて設けた底折板とを有し、前記底折棒によって前記表側折込フラップＴ２を、底折板によって前記裏側折込フラップＴ１をそれぞれ内側に折り込むものとされる。
【００２７】
回転搬送ドラム６９０は、図２に示すように、前記底折ドラム６４０の下部に設けられ、該回転搬送ドラム６９０および複数の案内ロ−ラ６９１に架け渡した２本の無端状ベルト６９２，６９３を有し、前記袋底折込装置６８０で内側に折り畳んだ表裏両折込フラップＴ１，Ｔ２を次工程のプレス装置７の供給位置へ移送するとともに、前工程で糊付けされた表裏両折込フラップＴ１，Ｔ２を貼着する。
【００２８】
プレス装置７は、図１に示すように、袋底折込装置６８０によって表裏両折込フラップＴ１，Ｔ２が折込まれた紙筒Ｔを搬送するドラム７１と、折り込まれた表裏両折込フラップＴ１，Ｔ２をプレスして紙袋Ｂの角底部Ｂ１を成形するプレスローラ７２と、成形した紙袋Ｂのカウントを行うカウント装置と、該紙袋Ｂを並べる製品台７３とを具備するものとされる。
【００２９】
以下、このように構成される製袋機Ｍにおける紙袋の製造について説明する。
ここで図１１は、底開き装置６３０における各部の動作を示すタイミングチャートである。
【００３０】
まず、予め所定寸法に裁断された袋用紙Ｐを給紙装置１により間隔をあけて連続的に供給し、把手装置２により、貼り付け用紙Ｈ１と紐状の把手部分Ｈ２を一体として把手Ｈを形成し、図９（ａ）に（ロ）で示すように、袋用紙Ｐの搬送方向後ろ側に略Ｊ字状および略逆Ｊ字状の切れ込みを入れるとともに、口折部Ｐ４の二つ折り部分Ｐ２となる端部からカット部Ｋを切断し、図９（ａ）に（イ）で示すように、糊付けを行った後、図９（ｂ）に（ハ）で示すように、把手Ｈを貼り付け、図９（ｂ）に（ホ）で示すように、把手Ｈの貼り付け用紙Ｈ１に糊付けして、図９（ｂ）に（ニ）で示すように、袋用紙Ｐの後端部を折り返して把手Ｈの貼り付け用紙Ｈ１を挟み込み、紙袋Ｂの袋口となる部分を形成し、筋付装置３の筋付凸ローラ３１と筋付凹ローラ３２とにより、図１０（ｃ）および図１０（ｄ）に示すように、袋用紙Ｐに２組の折込線Ｌ１と折返線Ｌ２と折畳線Ｌ３とを刻設する。
【００３１】
次に、紙筒形成装置４，５の第１折込工程部により、図１０（ｃ）に（ト），（チ）で示すように、袋用紙Ｐを折込線Ｌ１と折返線Ｌ２とから挟み込んで折り畳み、図１０（ｄ）に（リ），（ヌ）で示すように、第２折畳工程部により折畳線Ｌ３に沿って袋用紙Ｐを二つ折りに折り畳むととともに糊代部Ｐ３の貼り付けをおこなって紙筒Ｔを形成する。
【００３２】
次に、紙筒Ｔを袋底形成装置６の折筋付け装置６２０では、下部回転軸６２４を回転駆動し、図１０（ｅ），（ｆ）に示すように、紙筒Ｔの搬送方向前方側となる袋底寄りに前記各筋付けブレード６２１Ａ，６２１Ｂを押接させて底折りの際の底折返線Ｌ４と底折込線Ｌ５との二本の平行な筋目を刻設する。
【００３３】
この後、底折返線Ｌ４と底折線Ｌ５の入った紙筒Ｔを、各回転軸６２２，６２４の回転によって底開き装置６３０へと移送し、図１１に示す時刻Ｔ１において、図８（ａ）に示すように、吸着パット６３５により紙筒Ｔの表面紙前端側を吸着し、かつ吸着口６４６により紙筒Ｔの裏面紙側先端を吸着して、図６に示すように、吸着パット６３５の回転軌跡に沿って紙筒Ｔの袋底を開く。
このとき、図１１に示す時刻Ｔ２において、図８（ｂ）に示すように、底開き装置６３０の開閉爪６３７および底折ドラム６４０の開閉爪６４３により紙筒Ｔの折込部Ｔ３を挟持し、かつ底開き装置６３０に近接して配置する底折ドラム６４０に設けた捕捉爪６４１により袋底の開いた紙筒Ｔの裏面紙側先端、すなわち、裏側折込フラップＴ１を挟持する。
【００３４】
ここで、底開き装置６３０においては、図１１に示す時刻Ｔ３において、上部回転軸６３１の回転に伴い、紙筒Ｔの袋底が開かれるとともに、駆動カム６３８Ｆにカム当接部６３８Ｄが駆動カム６３８Ｆに形成する突状部に沿って移動することにより、クランプ６３８Ｋが回転軸６３８Ｃのまわりに往復回転動作し、回転軸６３８Ｃが往復回転動作することにより、取付ブラケット６３８Ｂおよびキックプレート６３８が往復回転動作して、図６，図８（ｂ）に示すように、表側折込フラップＴ２の底折返線Ｌ４からの折返位置に当接して底部内折線Ｂ２を設定する。このとき、キックプレート６３８が紙筒Ｔに当接した状態で、開放爪６３７，６４３によって図８（ｂ）に矢印Ｋで示すように紙筒Ｔがその進行方向後ろ側に向かって開かれることになるため、底折返線Ｌ４から底折込線Ｌ５の間の紙筒Ｔを緊張した状態で表側折込フラップＴ２を折り返すことができ、その結果、底部内折線Ｂ２の形成位置の設定を正確に行うことができる。
また、駆動カム６３８Ｆは、固定フランジ６３８Ｊによりその取り付け位置を円周方向に移動して設定することにより、キックプレート６３８の紙筒Ｔへの当接位置や、キックプレート６３８の回転円弧板６３２および底開きフランジ６３３からの突出量等の紙筒Ｔへの当接状態、および図１１に時刻Ｔ４で示す紙筒Ｔへの当接のタイミングを、紙袋Ｂの寸法に対応して設定することができ、底部内折線Ｂ２の形成の設定における正確性を向上することができる。
【００３５】
一方、後押さえ爪６４４と後起こし爪６４５とは、捕捉爪６４１で紙筒Ｔを挟持するまで、後押さえ爪６４４と後起こし爪６４５とが底折ドラム６４０に接触して捕捉爪６４１で抑えられた紙筒Ｔの両側外側に位置する状態に保持されている。
そして、図１１に示す時刻Ｔ６においては、図７に示すように、後起こし爪６４５が内側、すなわち、捕捉爪６４１で抑えられた紙筒Ｔの上方に張り出すとともに、上方に向かって回転した後に下方に向かって回転し、前記紙筒Ｔの表面紙と接触して、表側折込フラップＴ２の底折込線Ｌ５の後方で紙筒Ｔの表面紙の上側に位置する。このとき、後押さえ爪６４４は、底折ドラム６４０に接触して捕捉爪６４１で抑えられた紙筒Ｔの外側に位置する状態に待機している。
【００３６】
この状態において、上部回転軸６３１と底折ドラム６４０を相互に逆方向に回転させることによって、紙筒Ｔの袋底を開く。
このようにして袋底の開口した紙筒Ｔは、図１１に示す時刻Ｔ５において、開閉爪６３７による折込部Ｔ３の挟持が解除されて、キックプレート６３８が紙筒Ｔから離間し、前記底折ドラム６４０の回転によってその袋底部分がフラップ折返装置６５０と底折ドラム６４０との間に誘い込まれて、表側折込フラップＴ２のみが紙筒Ｔの表面紙側に折り返されるとともに、同時に、後起こし爪６４５が紙筒Ｔの表面紙と表側折込フラップＴ２の間に位置されて、紙筒Ｔの表裏両折込フラップＴ１，Ｔ２が底折ドラム６４０の外周に沿って平面的に展開された状態として、底折ドラム６４０の回転によって紙筒Ｔが搬送される。
次いで、図１１に示す時刻Ｔ７において、底折ドラム６４０に接触して捕捉爪６４１で抑えられた紙筒Ｔの外側に位置する状態に待機している後押さえ爪６４４が内側、すなわち、捕捉爪６４１で抑えられた紙筒Ｔの上方に張り出すとともに、上方に向かって回転した後下方に向かって回転し、前記紙筒Ｔの表側折込フラップＴ２と接触する。
【００３７】
この後、底折ドラム６４０の回転によって紙筒Ｔが搬送され、糊付けロ−ラ６６２が回転することによって、図１０（ｆ）に（カ）で示す糊付け位置に、糊付けパッドにより表裏両折込フラップＴ１，Ｔ２の糊付けが行われる。
この糊付工程終了後、フラップ立ち上げ装置６７０により、紙筒Ｔの裏側折込フラップＴ１と表側折込フラップＴ２とを底折込線Ｌ５から立ち上げ、袋底折込装置６８０により表裏両折込フラップＴ１，Ｔ２を内側に折り込み、回転搬送ドラム６９０により、プレス装置７の供給位置へ移送するとともに、前工程で糊付けされた表裏両折込フラップＴ１，Ｔ２を貼着する。
そしてプレス装置７において、袋底折込装置６８０によって表裏両折込フラップＴ１，Ｔ２が折込まれた紙筒Ｔをドラム７１により搬送し、この搬送途中において、プレスローラ７２により折り込まれた表裏両折込フラップＴ１，Ｔ２をプレスして紙袋Ｂの角底部Ｂ１を成形し、最終的にカウント装置により成形した紙袋Ｂのカウントを行うとともに、製品台７３に図１０（ｇ）に示すような紙袋Ｂを並べる。
【００３８】
【発明の効果】
本発明の角底袋製袋機および製袋方法によれば、以下の効果を奏する。
（１）底開き装置にキックプレートを設け、該キックプレートによって袋底開き時に、底折返線付近の開き状態設定をしたので、袋底部の底部内折線の形成位置の設定における正確性を向上することができる。
（２）キックプレートの往復回転動作がカム機構により調節可能なので、キックプレートの紙筒への当接状態を調節できるため、表側フラップの折り返しによる傷の発生を防止することができる。
（３）上記により、サイズの小さい紙袋製造に対応した角底袋の製袋機を提供することができる。
【図面の簡単な説明】
【図１】  本発明に係る製袋機および製袋方法の一実施形態を示す概略説明図である。
【図２】  図１の製袋機における袋底形成装置を示す正面図である。
【図３】  図２の袋底形成装置における底開き装置を示す側断面図である。
【図４】  図３の底開き装置におけるキックプレートを示す正断面図である。
【図５】  図３の底開き装置におけるキックプレートおよび駆動カムを示す正断面図である。
【図６】  図２の袋底形成装置における底開き装置とフラップ折返装置とによる紙筒の袋口開き状態を示す斜視図である。
【図７】  図２の袋底形成装置におけるフラップ折返装置による紙筒の表裏両折返フラップの展開状態およびプレスローラによるプレス状態を示し、かつ後押さえ爪と後起こし爪の位置を示す斜視図である。
【図８】  図３の底開き装置におけるキックプレートと開閉爪との紙筒への当接状態および紙筒の袋口開き状態を示す斜視図である。
【図９】  本発明に係る製袋方法の一実施形態を示す袋用紙への把手用の切れ込みおよび糊付け（ａ）と、把手の貼り付けおよび折り返し（ｂ）を示す斜視図である。
【図１０】  本発明に係る製袋方法の一実施形態を示す袋用紙から紙筒の成形方法（ｃ）（ｄ）および紙筒からの紙袋の形成方法（ｅ）（ｆ）（ｇ）を示す斜視図である。
【図１１】  本発明の一実施形態における吸着パッド，開閉爪，キックプレート，後起こし爪，後押さえ爪の動作を示すタイミングチャートである。
【図１２】  従来における紙袋の形成を示す斜視図である。
【図１３】  従来の製袋機を示す斜視図である。
【図１４】  従来における紙袋の形成を示す斜視図である。
【符号の説明】
Ｍ…製袋機
Ｍ１…本体フレーム
Ｐ…袋用紙
Ｐ２…二つ折り部分
Ｔ…紙筒
Ｔ１…裏側折込フラップ
Ｔ２…表側折込フラップ
Ｂ…紙袋
Ｂ２…底部内折線
Ｈ…把手
Ｌ４…底折返線
Ｌ５…底折込線
１…給紙装置
２…把手装置
３…筋付装置
４…紙筒形成装置
５…紙筒形成装置
６…袋底形成装置
６０Ａ…供給装置
６０１…送り板
６１０…口折筋付装置
６２０…底折筋付け装置
６３０…底開き装置
６３１…上部回転軸
６３２…回転円弧板
６３３…底開きフランジ
６３４…開口部
６３５…吸着パット
６３６…下部回転軸
６３７…開閉爪
６３８…キックプレート
６３８Ａ…駆動機構
６３８Ｃ…回転軸
６４０…底折ドラム
６４１…捕捉爪
６４２，６４２Ａ…前挟持爪
６４３…開閉爪
６４４…後押さえ爪
６４５…後起こし爪
６５０…フラップ祈返装置
６６０…糊付装置
６７０…フラップ立ち上げ装置
６８０…袋底折込装置
６９０…回転駆動ドラム
７…プレス装置
【図１】
0004033548.tif 000002
【図２】
0004033548.tif 000003
【図３】
0004033548.tif 000004
【図４】
0004033548.tif 000005
【図５】
0004033548.tif 000006
【図６】
0004033548.tif 000007
【図７】
0004033548.tif 000008
【図８】
0004033548.tif 000009
【図９】
0004033548.tif 000010
【図１０】
0004033548.tif 000011
【図１１】
0004033548.tif 000012
【図１２】
0004033548.tif 000013
【図１３】
0004033548.tif 000014
【図１４】
0004033548.tif 000015